(57)【要約】【課題】  記録媒体のディジタル信号の記録密度が向上しても、再生アナログ信号を高精度で評価できるようにする。【解決手段】  光ディスクＤＫに記録されていてアナログ再生された信号は、Ａ／Ｄ変換器１５にてＡ／Ｄ変換されて外部記憶回路１７に記憶される。コンピュータ２０は、外部記憶回路１７に記憶されたディジタルデータを、光ディスクＤＫに記録されていた信号のクロックタイミングに同期したディジタルデータに変換して内部ＲＡＭ２０ａに取り込む。コンピュータ２０は、内部ＲＡＭ２０ａに取り込んだディジタルデータをＰＲ等化処理するとともに、度数分布補正を施した後、ビタビ復号により２値化する。この２値化した信号を用いて外部記憶回路１７に記憶されているディジタルデータをパルス幅ごとに分類し、同分類したディジタルデータを用いて再生アナログ信号を評価する。【選択図】  図１
2006018866.tif 000002
【特許請求の範囲】
【請求項１】
記録媒体に記録されていて複数種類のパルス幅を含むディジタル信号をアナログ再生して、同再生したアナログ信号を評価する再生信号評価装置において、
前記再生したアナログ信号をディジタル信号に変換するＡ／Ｄ変換器と、
前記Ａ／Ｄ変換器によって変換されたディジタル信号を取り込み記憶する取り込み記憶手段と、
前記取り込み記憶手段によって取り込み記憶されたディジタル信号をＰＲ特性に補正するＰＲ等化手段と、
前記ＰＲ等化手段によって補正されたディジタル信号を２値化信号に復号する復号手段と、
前記復号手段によって復号された２値化信号を用いて、前記取り込み記憶手段に取り込み記憶されたディジタル信号をパルス幅ごとに分類する信号分類手段と、
前記信号分類手段によって分類されたディジタル信号に基づいて、前記再生したアナログ信号を評価する再生信号評価手段とを備えたことを特徴とする再生信号評価装置。
【請求項２】
請求項１に記載した再生信号評価装置において、
前記Ａ／Ｄ変換手段は、前記再生したアナログ信号を所定の固定レートでサンプリングしてディジタル信号に変換するものであり、
前記取り込み記憶手段は、
前記Ａ／Ｄ変換手段によって変換されたディジタル信号を記憶する第１記憶装置と、
前記第１記憶装置に記憶されているディジタル信号から前記記録媒体に記録されていたディジタル信号のクロックタイミングに同期したタイミングのディジタル信号を生成する同期化手段と、
前記同期化手段によって生成されたディジタル信号を記憶する第２記憶装置とからなり、
前記ＰＲ等化手段は、前記第２記憶装置に記憶されているディジタル信号をＰＲ特性に補正するものであり、
前記信号分類手段は、前記第１記憶装置に記憶されているディジタル信号をパルス幅ごとに分類するものである再生信号評価装置。
【請求項３】
前記ＰＲ等化手段は、前記第２記憶装置に記憶されているディジタル信号をＦＩＲフィルタ処理するＦＩＲフィルタ手段である請求項２に記載した再生信号評価装置。
【請求項４】
請求項３に記載した再生信号評価装置において、さらに、
前記ＦＩＲフィルタ手段で用いられるタップ係数を前記第２記憶装置に記憶されているディジタル信号に基づいて最適化するタップ係数最適化手段を備えたことを特徴とする再生信号評価装置。
【請求項５】
請求項４に記載した再生信号評価装置において、
前記タップ係数最適化手段は、
前記第２記憶装置に記憶されているディジタル信号をＰＲ特性に補正し、
前記ＰＲ特性に補正されたディジタル信号を２値化信号に復号し、
前記復号された２値化信号をＰＲ特性に等化処理したディジタル信号と前記ＰＲ等化手段によってＰＲ特性に補正されたディジタル信号とを用いて前記タップ係数を最適化するものである再生信号評価装置。
【請求項６】
前記復号手段は、前記ＰＲ等化手段によってＰＲ特性に補正されたディジタル信号をビタビ復号するビタビ復号手段である請求項１ないし５のうちのいずれか一つに記載した再生信号評価装置。
【請求項７】
請求項１ないし６のうちのいずれか一つに記載した再生信号評価装置において、さらに、
前記復号手段によるディジタル信号の２値化信号への復号前に、前記ＰＲ等化手段によって補正されたディジタル信号のレベルごとの分布を計算し、同計算した分布が理想的になるように前記ＰＲ等化手段によって補正されたディジタル信号を補正する分布補正手段を備えたことを特徴とする再生信号評価装置。
【請求項８】
前記分布補正手段は、前記ＰＲ等化手段によってＰＲ特性に補正されたディジタル信号を、所定数ずつの複数のグループに分けた各グループごとに前記ＰＲ等化手段によってＰＲ特性に補正されたディジタル信号を補正するものである請求項７に記載の再生信号評価装置。
【請求項９】
前記再生信号評価手段は、前記信号分類手段によって分類されたディジタル信号値を用いて前記再生したアナログ信号の評価用パラメータ値を計算して、同計算した評価用パラメータ値に基づいて前記再生したアナログ信号を評価するものである請求項１ないし８のうちのいずれか一つに記載した再生信号評価装置。
【請求項１０】
前記再生信号評価手段は、前記評価用パラメータ値の分布を計算して、同計算した評価用パラメータ値の分布において所定の分布より外れている評価用パラメータ値を前記再生したアナログ信号の評価から除外するパラメータ値除外手段を有する請求項９に記載した再生信号評価装置。
【請求項１１】
前記評価用パラメータ値は、前記分類されたパルス幅ごとのディジタル信号によって表された前記再生されたアナログ信号のピーク値、ボトム値、およびピーク値とボトム値との差のうちの少なくとも一つである請求項９または１０に記載した再生信号評価装置。
【請求項１２】
記録媒体に記録されていて複数種類のパルス幅を含むディジタル信号をアナログ再生して、同再生したアナログ信号を評価する再生信号評価方法において、
前記再生したアナログ信号をディジタル信号に変換するＡ／Ｄ変換ステップと、
前記Ａ／Ｄ変換ステップによって変換されたディジタル信号を記憶装置に取り込み記憶する取り込み記憶ステップと、
前記取り込み記憶ステップによって取り込み記憶されたディジタル信号をＰＲ特性に補正するＰＲ等化ステップと、
前記ＰＲ等化ステップによって補正されたディジタル信号を２値化信号に復号する復号ステップと、
前記復号ステップによって復号された２値化信号を用いて、前記取り込み記憶ステップよって取り込み記憶されたディジタル信号をパルス幅ごとに分類する信号分類ステップと、
前記信号分類ステップによって分類されたディジタル信号に基づいて、前記再生したアナログ信号を評価する再生信号評価ステップとを含むことを特徴とする再生信号評価方法。
【請求項１３】
請求項１２に記載した再生信号評価方法において、
前記Ａ／Ｄ変換ステップは、前記再生したアナログ信号を所定の固定レートでサンプリングしてディジタル信号に変換し、
前記取り込み記憶ステップは、前記Ａ／Ｄ変換ステップによって変換されたディジタル信号を記憶する第１記憶装置に記憶し、前記第1記憶装置に記憶されているディジタル信号から前記記録媒体に記録されていたディジタル信号のクロックタイミングに同期したタイミングのディジタル信号を生成し、かつ前記生成されたディジタル信号を第２記憶装置に記憶し、
前記ＰＲ等化ステップは、前記第２記憶装置に記憶されているディジタル信号をＰＲ特性に補正し、かつ
前記信号分類ステップは、前記第１記憶装置に記憶されているディジタル信号をパルス幅ごとに分類するものである再生信号評価方法。
【請求項１４】
前記ＰＲ等化ステップは、前記第２記憶装置に記憶されているディジタル信号をＦＩＲフィルタ処理する請求項１３に記載した再生信号評価方法。
【請求項１５】
請求項１４に記載した再生信号評価方法において、さらに、
前記ＦＩＲフィルタ処理で用いられるタップ係数を前記第２記憶装置に記憶されているディジタル信号に基づいて最適化するタップ係数最適化ステップを含むことを特徴とする再生信号評価方法。
【請求項１６】
請求項１５に記載した再生信号評価方法において、
前記タップ係数最適化ステップは、
前記第２記憶装置に記憶されているディジタル信号をＰＲ特性に補正し、
前記ＰＲ特性に補正されたディジタル信号を２値化信号に復号し、
前記復号された２値化信号をＰＲ特性に等化処理したディジタル信号と前記ＰＲ等化ステップによってＰＲ特性に補正されたディジタル信号とを用いて前記タップ係数を最適化するものである再生信号評価方法。
【請求項１７】
前記復号ステップは、前記ＰＲ等化ステップによってＰＲ特性に補正されたディジタル信号をビタビ復号する請求項１２ないし１６のうちのいずれか一つに記載した再生信号評価方法。
【請求項１８】
請求項１２ないし１７のうちのいずれか一つに記載した再生信号評価方法において、さらに、
前記復号ステップによるディジタル信号の２値化信号への復号前に、前記ＰＲ等化ステップによって補正されたディジタル信号のレベルごとの分布を計算し、同計算した分布が理想的になるように前記ＰＲ等化ステップによって補正されたディジタル信号を補正する分布補正ステップを含むことを特徴とする再生信号評価方法。
【請求項１９】
前記分布補正ステップは、前記ＰＲ等化ステップによってＰＲ特性に補正されたディジタル信号を、所定数ずつの複数のグループに分けた各グループごとに前記ＰＲ等化ステップによってＰＲ特性に補正されたディジタル信号を補正するものである請求項１８に記載の再生信号評価方法。
【請求項２０】
前記再生信号評価ステップは、前記信号分類ステップによって分類されたディジタル信号値を用いて前記再生したアナログ信号の評価用パラメータ値を計算して、同計算した評価用パラメータ値に基づいて前記再生したアナログ信号を評価するものである請求項１２ないし１９のうちのいずれか一つに記載した再生信号評価方法。
【請求項２１】
前記再生信号評価ステップは、前記評価用パラメータ値の分布を計算して、同計算した評価用パラメータ値の分布において所定の分布より外れている評価用パラメータ値を前記再生したアナログ信号の評価から除外するパラメータ値除外ステップを有する請求項２０に記載した再生信号評価方法。
【請求項２２】
前記評価用パラメータ値は、前記分類されたパルス幅ごとのディジタル信号によって表された前記再生されたアナログ信号のピーク値、ボトム値、およびピーク値とボトム値との差のうちの少なくとも一つである請求項２０または２１に記載した再生信号評価方法。
【請求項２３】
記録媒体に記録されていて複数種類のパルス幅を含むディジタル信号をアナログ再生して、同再生したアナログ信号を評価する再生信号評価用コンピュータプログラムにおいて、
前記再生したアナログ信号をＡ／Ｄ変換器によってＡ／Ｄ変換したディジタル信号を記憶装置に取り込み記憶する取り込み記憶ステップと、
前記取り込み記憶ステップによって取り込み記憶されたディジタル信号をＰＲ特性に補正するＰＲ等化ステップと、
前記ＰＲ等化ステップによって補正されたディジタル信号を２値化信号に復号する復号ステップと、
前記復号ステップによって復号された２値化信号を用いて、前記取り込み記憶ステップよって取り込み記憶されたディジタル信号をパルス幅ごとに分類する信号分類ステップと、
前記信号分類ステップによって分類されたディジタル信号に基づいて、前記再生したアナログ信号を評価する再生信号評価ステップとを含むことを特徴とする再生信号評価用コンピュータプログラム。
【請求項２４】
請求項２３に記載した再生信号評価用コンピュータプログラムにおいて、
前記Ａ／Ｄ変換器は、前記再生したアナログ信号を所定の固定レートでサンプリングしてディジタル信号に変換するものであり、
前記取り込み記憶ステップは、前記Ａ／Ｄ変換器によって変換されたディジタル信号を第１記憶装置に記憶し、前記第1記憶装置に記憶されているディジタル信号から前記記録媒体に記録されていたディジタル信号のクロックタイミングに同期したタイミングのディジタル信号を生成し、かつ前記生成されたディジタル信号を第２記憶装置に記憶し、
前記ＰＲ等化ステップは、前記第２記憶装置に記憶されているディジタル信号をＰＲ特性に補正し、
前記信号分類ステップは、前記第１記憶装置に記憶されているディジタル信号をパルス幅ごとに分類するものである再生信号評価用コンピュータプログラム。
【請求項２５】
前記ＰＲ等化ステップは、前記第２記憶装置に記憶されているディジタル信号をＦＩＲフィルタ処理する請求項２４に記載した再生信号評価用コンピュータプログラム。
【請求項２６】
請求項２５に記載した再生信号評価用コンピュータプログラムにおいて、さらに、
前記ＦＩＲフィルタ処理で用いられるタップ係数を前記第２記憶装置に記憶されているディジタル信号に基づいて最適化するタップ係数最適化ステップを含むことを特徴とする再生信号評価用コンピュータプログラム。
【請求項２７】
請求項２６に記載した再生信号評価用コンピュータプログラムにおいて、
前記タップ係数最適化ステップは、
前記第２記憶装置に記憶されているディジタル信号をＰＲ特性に補正し、
前記ＰＲ特性に補正されたディジタル信号を２値化信号に復号し、
前記復号された２値化信号をＰＲ特性に等化処理したディジタル信号と前記ＰＲ等化ステップによってＰＲ特性に補正されたディジタル信号とを用いて前記タップ係数を最適化するものである再生信号評価用コンピュータプログラム。
【請求項２８】
前記復号ステップは、前記ＰＲ等化ステップによってＰＲ特性に補正されたディジタル信号をビタビ復号する請求項２３ないし２７のうちのいずれか一つに記載した再生信号評価用コンピュータプログラム。
【請求項２９】
請求項２３ないし２８のうちのいずれか一つに記載した再生信号評価用コンピュータプログラムにおいて、さらに、
前記復号ステップによるディジタル信号の２値化信号への復号前に、前記ＰＲ等化ステップによって補正されたディジタル信号のレベルごとの分布を計算し、同計算した分布が理想的になるように前記ＰＲ等化ステップによって補正されたディジタル信号を補正する分布補正ステップを含むことを特徴とする再生信号評価用コンピュータプログラム。
【請求項３０】
前記分布補正ステップは、前記ＰＲ等化ステップによってＰＲ特性に補正されたディジタル信号を、所定数ずつの複数のグループに分けた各グループごとに前記ＰＲ等化ステップによってＰＲ特性に補正されたディジタル信号を補正するものである請求項２９に記載の再生信号評価用コンピュータプログラム。
【請求項３１】
前記再生信号評価ステップは、前記信号分類ステップによって分類されたディジタル信号値を用いて前記再生したアナログ信号の評価用パラメータ値を計算して、同計算した評価用パラメータ値に基づいて前記再生したアナログ信号を評価するものである請求項２３ないし３０のうちのいずれか一つに記載した再生信号評価用コンピュータプログラム。
【請求項３２】
前記再生信号評価ステップは、前記評価用パラメータ値の分布を計算して、同計算した評価用パラメータ値の分布において所定の分布より外れている評価用パラメータ値を前記再生したアナログ信号の評価から除外するパラメータ値除外ステップを有する請求項３１に記載した再生信号評価用コンピュータプログラム。
【請求項３３】
前記評価用パラメータ値は、前記分類されたパルス幅ごとのディジタル信号によって表された前記再生されたアナログ信号のピーク値、ボトム値、およびピーク値とボトム値との差のうちの少なくとも一つである請求項３１または３２に記載した再生信号評価用コンピュータプログラム。
【発明の詳細な説明】
【技術分野】
【０００１】
本発明は、光ディスクなどの記録媒体に記録されていて複数種類のパルス幅を有するディジタル信号をアナログ再生して、同再生したアナログ信号を評価する再生信号評価装置、再生信号評価方法および再生信号評価用コンピュータプログラムに関する。
【背景技術】
【０００２】
従来から、複数種類のパルス幅を有するディジタル信号を記録した記録媒体、または記録媒体に記録されている複数種類のパルス幅を有するディジタル信号をアナログ再生するためのピックアップなどの再生装置を検査するために、光ディスクなどの記録媒体に記録されているディジタル信号をアナログ再生して、同再生したアナログ信号を評価することはよく知られている。
【０００３】
この種の再生アナログ信号の評価項目には、変調振幅、アシンメトリなどがある。変調振幅は、例えば、パルス幅が最長である信号の振幅と、パルス幅が最短である信号の振幅との比で評価される。アシンメトリは、例えば、パルス幅が最長である信号の中心レベルと、パルス幅が最短である信号の中心レベルとのずれで評価される。このような再生アナログ信号の評価においては、再生アナログ信号をパルス幅ごとに分類する必要がある。現在のＤＶＤシステムにおいては、再生アナログ信号を波形等化回路（すなわちイコライザ）で高域成分を強調させた後、適当なレベルでスライスすることによって信号を２値化し、２値化した信号のパルス幅に従って再生アナログ信号をパルス幅ごとに分類するようにしている。
【０００４】
しかしながら、近年、光ディスクの記録密度の向上が進められてきている。この記録密度の向上により、パルス幅の短い信号の振幅が小さくなるとともに、隣接記録されているディジタル信号間の干渉すなわち符号間干渉が強まるという問題があり、再生アナログ信号を適当なレベルでスライスして２値化する方法では、再生アナログ信号をパルス幅ごとに分類することが困難になりつつある。そして、この問題は、パルス幅が短い信号ほど深刻となる。
【０００５】
この問題を解決するために、例えば下記特許文献１には、ＰＲＭＬ(Partial Response and Maximum Likelihood)方式により再生アナログ信号を２値化信号に復号し、この復号した２値化信号のパルス幅により再生アナログ信号をパルス幅ごとに分類することが示されている。また、下記特許文献１には、ＲＬＬ(Run Length Limited)(１，７)変調方式で信号を記録媒体に記録した場合、最短のパルス幅は２Ｔであるが、再生アナログ信号の評価において、このパルス幅２Ｔの２値化信号に代えてパルス幅３Ｔの２値化信号を利用することも示されている。すなわち、パルス幅２Ｔに対応する信号の振幅は極めて小さく、前記ＰＲＭＬ方式により再生アナログ信号を２値化信号に復号しても、復号後のパルス幅２Ｔの２値化信号には再生前のパルス幅３Ｔの２値化信号が含まれている可能性が高い。したがって、再生アナログ信号を分類して得たパルス幅２Ｔに対応する信号を用いて再生アナログ信号を評価しても、高精度の評価結果を得ることができないために、パルス幅２Ｔの次に短いパルス幅３Ｔに対応する信号を再生アナログ信号の評価に利用するようにしている。
【特許文献１】特開２００１−２９１３２５号公報
【０００６】
しかし、光ディスクの高記録密度化が進めば進むほど、パルス幅が短い信号の振幅はより小さくなるので、記録媒体またはピックアップなどの再生装置の検査にとっては、再生アナログ信号の中で最短パルス幅に対応する信号の振幅に関する評価を行うことが重要である。したがって、パルス幅が最短である信号と次にパルス幅が短い信号（例えば、ＲＬＬ(１，７)変調記録方式を採用した場合には、パルス幅２Ｔおよび３Ｔに対応する信号）を高精度で分類する必要が生じる。
【発明の開示】
【０００７】
本発明は上記問題に対処するためになされたもので、その目的は、記録媒体におけるディジタル信号の記録密度が向上しても、パルス幅が最短である信号と次にパルス幅が短い信号を高精度で分類することにより、再生アナログ信号を高精度で評価できるようにした再生信号評価装置、再生信号評価方法および再生信号評価用コンピュータプログラムを提供することにある。
【０００８】
上記目的を達成するため、記録媒体に記録されていて複数種類のパルス幅を含むディジタル信号をアナログ再生して、同再生したアナログ信号を評価する再生信号評価装置において、前記再生したアナログ信号をディジタル信号に変換するＡ／Ｄ変換器と、Ａ／Ｄ変換器によって変換されたディジタル信号を取り込み記憶する取り込み記憶手段と、取り込み記憶手段によって取り込み記憶されたディジタル信号をＰＲ特性に補正するＰＲ（Partial Response）等化手段と、ＰＲ等化手段によって補正されたディジタル信号を２値化信号に復号する復号手段と、復号手段によって復号された２値化信号を用いて、取り込み記憶手段に取り込み記憶されたディジタル信号をパルス幅ごとに分類する信号分類手段と、信号分類手段によって分類されたディジタル信号に基づいて、再生したアナログ信号を評価する再生信号評価手段とを備えたことにある。
【０００９】
この場合、ＰＲ等化手段は、例えば、ディジタル信号をＦＩＲ（Finite Impulse Response）フィルタ処理するＦＩＲフィルタ手段である。また、復号手段は、例えば、ＰＲ等化手段によってＰＲ特性に補正されたディジタル信号をビタビ復号するビタビ復号手段である。再生信号評価手段は、例えば、信号分類手段によって分類されたディジタル信号値を用いて前記再生したアナログ信号の評価用パラメータ値を計算して、同計算した評価用パラメータ値に基づいて前記再生したアナログ信号を評価するものである。そして、評価用パラメータ値は、例えば、前記分類されたパルス幅ごとのディジタル信号によって表された前記再生されたアナログ信号のピーク値、ボトム値、およびピーク値とボトム値との差のうちの少なくとも一つである。
【００１０】
これによれば、取り込み記憶されたディジタル信号が、ＰＲ等化手段によりＰＲ特性に補正された後、復号手段により２値化信号に復号され、この復号された２値化信号を用いて取り込み記憶されたディジタル信号が信号分類手段によりパルス幅ごとに分類されるので、取り込み記憶されたディジタル信号はパルス幅ごとに良好に分類、すなわちパルス幅が最短である信号と次にパルス幅が短い信号も高精度で分類される。そして、再生信号評価手段が高精度で分類されたディジタル信号に基づいて再生したアナログ信号を評価するので、記録媒体に記録された最短のパルス幅のディジタル信号をアナログ再生したアナログ信号も精度よく評価されるようになり、記録媒体のディジタル信号の記録密度が向上しても、再生アナログ信号の評価が高精度で行われるようになる。
【００１１】
また、本発明の他の特徴は、前記再生信号評価装置において、Ａ／Ｄ変換手段を再生したアナログ信号を所定の固定レートでサンプリングしてディジタル信号に変換するように構成し、取り込み記憶手段を、Ａ／Ｄ変換手段によって変換されたディジタル信号を記憶する第１記憶装置と、第１記憶装置に記憶されているディジタル信号から記録媒体に記録されていたディジタル信号のクロックタイミングに同期したタイミングのディジタル信号を生成する同期化手段と、同期化手段によって生成されたディジタル信号を記憶する第２記憶装置とで構成し、ＰＲ等化手段を第２記憶装置に記憶されているディジタル信号をＰＲ特性に補正するように構成し、かつ信号分類手段を第１記憶装置に記憶されているディジタル信号をパルス幅ごとに分類するように構成したことにある。この場合、ＰＲ等化手段を、第２記憶装置に記憶されているディジタル信号をＦＩＲフィルタ処理するＦＩＲフィルタ手段で構成するとよい。
【００１２】
これによれば、再生されたアナログ信号をＡ／Ｄ変換したディジタル信号が、記録媒体に記録されていたディジタル信号のクロックタイミングとは無関係に第１記憶装置に書き込むことができるため、ＰＬＬ（Phase Locked Loop）回路を用いてＡ／Ｄ変換したディジタル信号をクロックタイミングに同期させて記憶する場合に比べて、ＰＬＬ回路がフェーズロックするまでの時間を節約できる。また、同期化手段により、Ａ／Ｄ変換したディジタル信号が記録媒体に記録されていたディジタル信号のクロックタイミングに同期して第２記憶装置に記憶され、この第２記憶装置に記憶されているディジタル信号がＰＲ特性に補正されるので、多くのディジタル信号を用いることなく高精度かつ高速で２値化信号への復号が行われるようになる。
【００１３】
また、本発明の他の特徴は、前記再生信号評価装置において、ＦＩＲフィルタ手段で用いられるタップ係数を第２記憶装置に記憶されているディジタル信号に基づいて最適化するタップ係数最適化手段を備えたことにある。この場合、タップ係数最適化手段を、例えば、第２記憶装置に記憶されているディジタル信号をＰＲ特性に補正し、ＰＲ特性に補正されたディジタル信号を２値化信号に復号し、復号された２値化信号をＰＲ特性に等化処理したディジタル信号とＰＲ等化手段によってＰＲ特性に補正されたディジタル信号とを用いてタップ係数を最適化するように構成するとよい。
【００１４】
これによれば、ＦＩＲフィルタ手段のタップ係数が最適な値に設定され、すなわち再生されたアナログ信号をＡ／Ｄ変換したディジタル信号が良好にＰＲ特性に補正され、復号手段による２値化信号への復号も高精度で行われる。そのため、信号分類手段によるディジタル信号の分類も高精度で行われるので、再生したアナログ信号も高精度で評価される。
【００１５】
また、本発明の他の特徴は、前記再生信号評価装置において、さらに、復号手段によるディジタル信号の２値化信号への復号前に、ＰＲ等化手段によって補正されたディジタル信号のレベルごとの分布を計算し、同計算した分布が理想的になるようにＰＲ等化手段によって補正されたディジタル信号を補正する分布補正手段を備えたことにある。この場合、分布補正手段は、例えば、ＰＲ等化手段によってＰＲ特性に補正されたディジタル信号を、所定数ずつの複数のグループに分けた各グループごとにＰＲ等化手段によってＰＲ特性に補正されたディジタル信号を補正するとよい。
【００１６】
これによれば、復号手段によるディジタル信号の２値化信号への復号がより高精度で行われるので、信号分類手段によるディジタル信号の分類も高精度で行われて、再生したアナログ信号がさらに高精度で評価されるようになる。
【００１７】
また、本発明の他の特徴は、前記再生信号評価装置において、再生信号評価手段は、評価用パラメータ値の分布を計算して、同計算した評価用パラメータ値の分布において所定の分布より外れている評価用パラメータ値を前記再生したアナログ信号の評価から除外するパラメータ値除外手段を有することにある。所定の分布とは、例えば正規分布である。
【００１８】
これによれば、パルス幅ごとに分類されたディジタル信号値を用いて計算した評価用パラメータ値が、適正でないパルス幅に関するディジタル信号から求めた不適正な評価用パラメータ値を含んでいても、この不適正な評価用パラメータ値は除外される。その結果、不適正な評価用パラメータ値を含む可能性の少ない評価用パラメータ値に基づいて、再生したアナログ信号が評価されるので、同評価がより高精度で行われるようになる。
【００１９】
さらに、本発明の実施にあたっては、装置の発明に限定されることなく、方法の発明およびコンピュータプログラムの発明としても実施し得る。
【発明を実施するための最良の形態】
【００２０】
以下、本発明の一実施形態について図面を用いて説明すると、図１は同実施形態に係る再生信号評価装置の概略図である。
【００２１】
この再生信号評価装置は、光ディスクＤＫまたは光ピックアップを検査対象とするもので、光ディスクＤＫが載置固定されるターンテーブル１１を備えている。ターンテーブル１１は、図示しないスピンドルモータによって回転制御されて、光ディスクＤＫ上に形成される光スポットが光ディスクＤＫに対して線速度一定または角速度一定で回転するようになっている。この光ディスクＤＫには検査対象となり得る光ピックアップ１２が対向配置されている。また、光ディスクＤＫ上に形成される光スポットは、スピンドルモータまたは光ピックアップ１２を光ディスクＤＫの径方向へ移動させることにより光ディスクＤＫに対して径方向へ移動し、これにより、光スポットは光ディスクＤＫ上を螺旋状に移動する。
【００２２】
光ピックアップ１２は、ＨＤ  ＤＶＤディスク、ブルーレイディスク（Blu-ray
Disk），ＤＶＤ,ＣＤなどの光ディスクＤＫに記録されたデータを再生するものであり、レーザ光源、コリメーティングレンズ、ビームスプリッタ、１／４波長板、対物レンズ、集光レンズ、シリンドリカルレンズ、４分割フォトディテクタ、フォーカスアクチュエータ、トラッキングアクチュエータなどを備えている。そして、この光ピックアップ１２は、レーザ光源からのレーザ光を光ディスクＤＫに照射して光ディスクＤＫ上に光スポットを形成し、同光ディスクＤＫからの光スポットによる反射光を４分割フォトディテクタで受光する。なお、光ディスクＤＫ上に形成される光スポットは、４分割フォトディテクタから出力される受光信号に基づいて、フォーカスサーボ制御回路、トラッキングサーボ制御回路、フォーカスアクチュエータおよびトラッキングアクチュエータによりフォーカスサーボ制御されるとともにトラッキングサーボ制御されるが、これらのサーボ制御は本発明に直接関係しないので、詳しい説明は省略する。
【００２３】
光ピックアップ１２の４分割フォトディテクタからの受光信号は、増幅回路１３によって増幅されて、再生信号生成回路１４を介してアナログ／ディジタル変換器（以下、Ａ／Ｄ変換器という）１５に導かれる。再生信号生成回路１４は、４分割フォトディテクタからの４個の受光信号を全て合算した再生信号（いわゆる、サム信号）を生成して出力する。この再生信号生成回路１４の出力信号が本発明の再生したアナログ信号に対応するもので、この再生アナログ信号は光ディスクＤＫに記録されているディジタル信号を表すものである。このディジタル信号には、例えばＲＬＬ(１，７)変調された信号の場合、２Ｔ〜８Ｔのパルス幅をそれぞれ有する７種類の２値化信号が含まれている。
【００２４】
Ａ／Ｄ変換器１５は、クロック信号発生回路１６からのクロック信号の入力毎に再生信号生成回路１４からの再生アナログ信号をサンプリングホールドして、同サンプリングホールドした再生アナログ信号をＡ／Ｄ変換し、再生アナログ信号の瞬時値を表すディジタル信号を前記クロック信号の周期ごとに出力する。なお、本実施形態では光ディスクとしてブルーレイディスク（Blu-ray Disk）を採用しており、ブルーレイディスクの基準クロック周波数（すなわち、サンプリング周波数）は６６MHzであるので、クロック信号発生回路１６からのクロック信号の周波数はブルーレイディスクの基準クロック周波数の２倍以上（すなわち、１３２MHｚ以上）であればよいが、本実施形態では約２００MHzである。また、このクロック信号は、光ディスクＤＫに記録されている信号の基準クロックとは無関係である。
【００２５】
Ａ／Ｄ変換器１５には、再生アナログ信号をＡ／Ｄ変換したディジタル信号を記憶するための外部記憶回路１７が接続されている。この外部記憶回路１７は、本発明の第１記憶装置を構成するもので、コンピュータ２０によりデータの書き込みおよび読み出しが制御されるようになっている。本実施形態では、この外部記憶回路１７としてＲＡＭを用いているが、データの書き込みおよび読み出しが可能であれば、他の記録媒体を用いてもよい。コンピュータ２０は、本発明の第２の記憶装置を構成する内部ＲＡＭ２０ａを含む、ＣＰＵ、ＲＯＭ、タイマ、外部記憶装置（例えば、ハードディスク）などを主要構成部品としており、内部ＲＡＭ２０ａまたは外部記憶装置に記憶された図２の再生信号評価プログラム（図３の取り込み処理ルーチンを含む）の実行により再生アナログ信号を入力して評価する。このコンピュータ２０には、この再生信号評価装置の作動を指示するための入力装置（例えば、キーボード）２１および評価結果を表示する表示装置２２が接続されている。
【００２６】
次に、上記のように構成した実施形態の動作について説明する。まず、検査者は検査対象となる光ディスクＤＫをターンテーブル１１に載置固定して、入力装置２１を操作することによりこの再生信号評価装置の作動を指示する。なお、検査対象が光ピックアップ１２であれば、検査対象となる光ピックアップ１２を再生信号評価装置に組み付け、前記のようにしてこの再生信号評価装置の作動を指示する。これにより、光ピックアップ１２からのレーザ光により光ディスクＤＫ上に光スポットが形成され、同光スポットからの反射光による受光信号が光ピックアップ１２から増幅回路１３を介して再生信号生成回路１４に出力される。
【００２７】
再生信号生成回路１４は、この受光信号から再生アナログ信号を生成して、Ａ／Ｄ変換器１５に供給する。図４(Ａ)は光ディスクＤＫに記録されているＲＬＬ(１，７)変調された信号の一部を示し、図４(Ｂ)は再生信号生成回路１４から出力される再生アナログ信号の一部を示している。Ａ／Ｄ変換器１５は、クロック信号発生回路１６からのクロック信号の周期（約、２００MHzに相当する周期）で、再生アナログ信号の瞬時値をＡ／Ｄ変換して繰り返し出力する。このとき、光スポットは、ターンテーブルの回転およびターンテーブル（または光ピックアップ１２）の光ディスクＤＫの径方向への移動により、光ディスクＤＫに対して相対的に線速度一定または角速度一定で螺旋状に光ディスクＤＫ上を移動する。
【００２８】
一方、コンピュータ２０は、図２のステップＳ１０にて再生信号評価プログラムの実行を開始し、ステップＳ１２にて外部記憶回路１７に対して再生信号値の取り込みを指示する。この再生信号値の取り込み指示においては、予め決められた所定量の信号（本実施形態では、光ディスクＤＫの一回転分に相当する信号）の取り込みが指示され、外部記憶回路１７は、Ａ／Ｄ変換器１５で再生アナログ信号をＡ／Ｄ変換したディジタルデータを所定量だけ記憶する。なお、この外部記憶回路１７に記憶されるディジタルデータは、光ディスクＤＫに記録されているＲＬＬ(１，７)変調された信号の基準クロックとは同期していない。次に、コンピュータ２０は、ステップＳ１４にて、外部記憶回路１７に記憶した一連のディジタルデータから、光ディスクＤＫに記録されているＲＬＬ(１，７)変調された信号の基準クロック（パルス幅１Ｔに相当するクロック）に同期して、基準クロックごとのディジタルデータを抽出してコンピュータ２０内の内部ＲＡＭ２０ａに一時記憶する。
【００２９】
このステップＳ１４の処理は、後述するＰＲ等化係数により異なるが、本実施形態ではＰＲ等化係数「１，２，２，１」の場合を例にして詳しく説明する。コンピュータ２０は、ステップＳ１４にて図３の取り込み処理ルーチンを実行する。この取り込み処理ルーチンの実行はステップＳ６０にて開始され、コンピュータ２０は、ステップＳ６２にて外部記憶回路１７内に記憶されている一連のディジタルデータを読み込んで、一部のディジタルデータによって表された長い周期を有する信号（本実施形態では、パルス幅４Ｔ以上に相当する信号）を見つけ、それらのピーク電圧値とボトム電圧値の中央値の平均値を計算して、同平均値を中心電圧値とする。より具体的には、外部記憶回路１７内に記憶されている一連のディジタルデータの中から前記長い周期の信号に関するディジタルデータを抽出して度数分布を計算し、計算した度数分布の標準偏差１σ（６８パーセント）に相当するレベルを正負のスライスレベル（図５(Ａ)の±Slice参照）に決定して、同決定した正負のスライスレベルの中央値を中心電圧値とする。
【００３０】
次に、コンピュータ２０は、ステップＳ６４にて、前記長い周期の信号が中心電圧値とクロスする箇所（タイミング）を見つける。より具体的には、負のスライスレベル、中心電圧値および正のスライスレベルをこの順にまたは逆の順に通過する信号を見つけて、この見つけた信号と中心電圧値とがクロスする箇所（タイミング）を見つける。このステップＳ６４の処理後、コンピュータ２０は、ステップＳ６６にて、前記見つけたタイミングに挟まれた区間（図５(Ａ)の矢印区間）を、光ディスクＤＫに記録されているＲＬＬ(１，７)変調された信号の基準クロックの周期１Ｔ（本実施形態では、６６MHzに対する１５.１５nsec）の整数倍になるように等分する。なお、この等分において、余った区間がでる場合には、前記周期１Ｔを微調整して図５(Ａ)の矢印区間を等分する。
【００３１】
次に、コンピュータ２０は、ステップＳ６８にて前記等分した分割タイミングの電圧値を周期１Ｔごとの再生信号値として内部ＲＡＭ２０ａに順次書き込む。この場合、図５(Ｂ)に拡大して示すように、外部記憶回路１７には、光ディスクＤＫに記録されていた信号の基準クロックに無関係なタイミング（黒三角位置）の再生アナログ信号の瞬時値を表すディジタルデータが記憶されていて、前記分割タイミング（黒丸位置）に関する電圧値を表すディジタルデータは記憶されていない。したがって、外部記憶回路１７に記憶されているディジタルデータを順次読み出して、補間演算により各分割タイミングの電圧値を表すディジタルデータを計算して内部ＲＡＭ２０ａに記憶する。この場合、光ディスクＤＫへのディジタル信号の記録時にＲＬＬ(１，７)変調方式が採用されていれば、周期１Ｔごとに内部ＲＡＭ２０ａに書き込んだディジタルデータ列には、パルス幅２Ｔ〜８Ｔの２値化信号に対応したディジタルデータが含まれている。この周期１Ｔごとに内部ＲＡＭ２０ａに書き込んだディジタルデータ列を、リサンプリングしたディジタルデータ列という。したがって、リサンプリングしたディジタルデータ列には、例えば、パルス幅が２Ｔである信号に関しては隣合う３個のディジタルデータが含まれ、パルス幅が８Ｔである信号に関しては隣合う９個のディジタルデータが含まれていることになる。
【００３２】
また、コンピュータ２０は、このステップＳ６８にて、内部ＲＡＭ２０ａに前記書き込んだリサンプリングしたディジタルデータと外部記憶回路１７に記憶されているディジタルデータとの対応付けに関する情報も記憶しておく。具体的には、リサンプリングしたディジタルデータを「１」から順に番号を付して記憶しておくとともに、外部記憶回路１７に記憶されているディジタルデータにも「１」から順に番号を付して記憶しておき、外部記憶回路１７に記憶されていて分割タイミング線の直前のディジタルデータの番号を、リサンプリングしたディジタルデータの番号に対応させて内部ＲＡＭ２０ａに書き込む。そして、ステップＳ７０にてこの取り込み処理ルーチンの実行を終了して、図２のステップＳ１６〜Ｓ２８の循環処理を繰り返し実行する。
【００３３】
このステップＳ１６〜Ｓ２８の循環処理においては、内部ＲＡＭ２０ａに記憶されているリサンプリングしたディジタルデータを、複数（例えば、１９３２個）ずつからなるブロックごとに処理して、ＰＲ(Partial Response)特性に補正するＰＲ等化処理に用いるＦＩＲ（Finite Impulse Response）フィルタ処理の最適なタップ係数（フィルタ係数）を計算する。
【００３４】
ステップＳ１６においては、前記ステップＳ１４の処理によりリサンプリングした一つのブロックに属するディジタルデータ列にＦＩＲフィルタ処理（すなわちＰＲ等化処理）を施すことにより、同ディジタルデータ列によって表された同期再生信号をＰＲ特性に補正する。ＦＩＲフィルタ処理は、図６の機能ブロック図に示すように、時間経過に従って順次入力したディジタルデータを複数の遅延部３１によって１ビットずつ遅延し、入力信号および各遅延出力信号に複数の乗算部３２にてタップ係数ｋ1,ｋ2,ｋ3,ｋ4, ｋ5をそれぞれ乗算し、各乗算結果を加算部３３にて合算する、すなわち入力信号を畳み込み演算するものである。なお、本実施形態では５タップのＦＩＲフィルタ処理を行うようにしたが、タップ数は任意に変更可能である。また、本実施形態においては、これらのタップ係数ｋ1,ｋ2,ｋ3,ｋ4, ｋ5は、例えば「０,０,１,０,０」に初期設定されるようにしたが、これらの初期設定値も任意に変更可能である。そして、このＰＲ等化処理されたディジタルデータ列は、内部ＲＡＭ２０ａに前記同期再生信号を表すディジタルデータ列とは別に一時記憶される。
【００３５】
前記ステップＳ１６の処理後、ステップＳ１８にて、前記ＰＲ等化処理したディジタルデータ列中の各ディジタルデータをレベル順に並び換えて分布の度数を計算する。図７の実線は、度数分布の一例を示している。図７中の電圧レベル０〜６は、ＲＬＬ(Run Length Limited)(１，７)変調方式で変調した記録信号を、等化係数「１,２,２,１」を用いてＰＲ等化処理した場合に取り得る理想的な７つの等間隔の電圧レベルを示している。しかし、前記計算した度数分布は、電圧レベル０〜６の位置に度数分布のピークがそれぞれ現われる理想的な度数分布とは異なっている。なお、この場合、電圧レベル２，４においてディジタルデータの分布の度数が小さい理由は、ＲＬＬ(１，７)変調方式で変調した記録信号を、等化係数「１,２,２,１」を用いてＰＲ等化処理した場合には、ＰＲ等化処理後の電圧レベルが「２」または「４」になる確率が少ないためである。なお、本実施形態では、ＲＬＬ(１，７)変調方式で変調した記録信号を等化係数「１,２,２,１」を用いてＰＲ等化処理するようにしたが、他のＲＬＬ変調および等化係数を利用することも可能である。
【００３６】
次に、ステップＳ２０にて、前記計算したディジタルデータの度数分布が理想になるように、すなわち図７の破線で示すような度数分布となるように、前記ＰＲ等化処理したディジタルデータ列中の各ディジタルデータ（すなわちリサンプリングした各ディジタルデータ）に対する補正係数をそれぞれ計算する。そして、ステップＳ２２にて前記ＰＲ等化処理したディジタルデータ列中の各ディジタルデータに前記計算した補正係数を乗算することによって各ディジタルデータを補正して、前記ＰＲ等化処理後の各ディジタルデータをこの補正した各ディジタルデータに更新する。なお、この更新されたＰＲ等化処理したディジタルデータの度数分布は図７の破線のようになる。
【００３７】
次に、ステップＳ２４にて、前記ステップ２２の処理により補正したディジタルデータ列をこの種の技術分野ではよく知られているビタビ復号アルゴリズムによって２値化する。ビタビ復号アルゴリズムとは、データ間に相関をもたせて記録したデータ系列を再生する際に最も確からしい系列を検出する方法を採用したアルゴリズムである。より具体的には、ブランチメトリック演算およびパスメトリック演算を用いて、ある信号状態からある信号状態への遷移が最も確からしいものを選択することで復号処理を行うアルゴリズムである。このビタビ復号により、ディジタルデータ列は２値化され、パルス幅２Ｔ〜８Ｔの２値化信号が得られる。この２値化されたディジタルデータ列も内部ＲＡＭ２０ａに一時的に記憶される。
【００３８】
次に、ステップＳ２６にて、前記ビタビ復号により２値化したディジタルデータ列と、前記ステップ２２の処理により補正したディジタルデータ列とを用いて、ＰＲ等化処理に用いたＦＩＲフィルタのタップ係数k1、k2、k3、k4、k5を最適値に更新する。具体的には、まず、前記２値化したディジタルデータ列を等化係数「１,２,２,１」を用いてＰＲ等化処理して、前記２値化したディジタルデータ列を更新する。図８(Ａ)はこの２値化したディジタルデータ列（２値化した復号信号）の一例を示しており、図８(Ｂ)はこの２値化したディジタルデータ列を等化係数「１,２,２,１」を用いてＰＲ等化処理した電圧レベルを表すディジタルデータ列を白丸で示している。
【００３９】
次に、この２値化したディジタルデータ列を等化係数「１,２,２,１」を用いてＰＲ等化処理したディジタルデータ列と、前記ステップＳ１６〜Ｓ２２の処理によってリサンプリングしたディジタルデータをＰＲ等化処理および度数分布補正して内部ＲＡＭ２０ａに記憶されているディジタルデータ列とを用いて、ＬＭＳ（Least Mean Square）アルゴリズム（すなわち最小２乗法を用いた計算処理）により、最適なタップ係数k1、k2、k3、k4、k5を計算する。このことを図８(Ｃ)を用いて説明すると、図８(Ｃ)は２値化したディジタルデータ列をＰＲ等化処理したディジタルデータ列を白丸で示しているとともに、ＰＲ等化処理および度数分布補正後のリサンプリングしたディジタルデータ列を黒丸で示している。そして、前記ＬＭＳアルゴリズムでは、前記両ディジタルデータ列の各対応するデータ値の差の２乗和が最小になるように、タップ係数k1、k2、k3、k4、k5が計算される。そして、前記初期に設定されていた「０,０,１,０,０」からなるタップ係数k1、k2、k3、k4、k5を前記計算したタップ係数k1、k2、k3、k4、k5に更新する。
【００４０】
次に、ステップＳ２８にて、全てのブロックに関する処理が終了したか否か、すなわち前記内部ＲＡＭ２０ａに書き込まれたリサンプリングされた全てのディジタルデータに対するステップＳ１６〜Ｓ２６の処理が終了したかを判定する。全てのブロックに関する処理が終了していなければ、ステップＳ２８にて「Ｎｏ」と判定して、次のブロックに属するリサンプリングしたディジタルデータ列に対して前述したステップＳ１６〜Ｓ２６の処理を行う。この場合、ステップＳ１６のＦＩＲフィルタ処理にて利用されるタップ係数k1、k2、k3、k4、k5は前回のステップＳ１６〜Ｓ２６によって更新されたタップ係数k1、k2、k3、k4、k5である。このようにして、タップ係数k1、k2、k3、k4、k5は、最適値に向かって順次変更されていく。そして、全てのブロックに対するステップＳ１６〜Ｓ２６の処理が終了すると、ステップＳ２８にて「Ｙｅｓ」と判定して、ステップＳ３０以降の処理に進む。
【００４１】
ステップＳ３０〜Ｓ４０の循環処理は、前述したステップＳ２６の処理を除くステップＳ１６〜Ｓ２４，Ｓ２８の処理と同様である。特に、ステップＳ３０のＦＩＲフィルタ処理においては、前記ステップＳ１６〜Ｓ２８からなる循環処理によって最適化された同一のタップ係数k1、k2、k3、k4、k5が常に用いられて、前記ステップＳ１４の処理によりリサンプリングされて内部ＲＡＭ２０ａに記憶されているディジタルデータ列は良好にＰＲ等化処理される。そして、ステップＳ３２〜Ｓ３６の処理によって前記ＰＲ等化処理されたディジタルデータ列は度数分布に基づいて補正処理されるとともに、ステップＳ３８の処理によってこの補正処理されたディジタルデータ列がビタビ復号されて、２値化信号が生成される。したがって、記録密度の高いディジタルデータ列であっても、高精度の２値化信号を得ることができる。
【００４２】
そして、リサンプリングされて内部ＲＡＭ２０ａに記憶されている全てのディジタルデータに対するステップＳ３０〜Ｓ４０の循環処理が終了すると、ステップＳ４０にて「Ｙｅｓ」と判定してステップＳ４２に進む。ステップＳ４２においては、前記ステップＳ３８のビタビ復号処理によって２値化されたディジタルデータ列を用いて、外部記憶回路１７に記憶されているディジタルデータをパルス幅２Ｔ〜８Ｔに対応した７つのグループのいずれかに分類する。
【００４３】
具体的には、ステップＳ１４の処理によりリサンプリングされて内部ＲＡＭ２０ａに記憶されているディジタルデータと、ステップＳ３８の処理によって２値化されたディジタルデータは対応している。したがって、この２値化されたディジタルデータの変化（ローレベルとハイレベルとの各連続時間）により、リサンプリングされて内部ＲＡＭ２０ａに記憶されているディジタルデータ列中の各データがパルス幅２Ｔ〜８Ｔのいずれに属するかを検出する。一方、ステップＳ１４の処理により、リサンプリングされて内部ＲＡＭ２０ａに記憶されている各ディジタルデータは、外部記憶回路１７に記憶されている各ディジタルデータに対応付けられている（図５(Ｂ)参照）。そして、この対応付けを用いることにより、外部記憶回路１７に記憶されている各ディジタルデータをパルス幅２Ｔ〜８Ｔに対応した７つのグループのいずれかに分類する。
【００４４】
次に、ステップＳ４４にて、前記分類されて外部記憶回路１７に記憶されているディジタルデータに基づいて、再生アナログ信号の評価に関係したパラメータ値、すなわち評価対象となるパルス幅に関係した再生アナログ信号部分のピーク電圧値およびボトム電圧値の度数分布を計算する。本実施形態では、評価対象であるパルス幅は２Ｔ，３Ｔ，８Ｔであるので、前記分類されて外部記憶回路１７に記憶されているディジタルデータの中からパルス幅２Ｔ，３Ｔ，８Ｔにそれぞれ属する３グループのディジタルデータをそれぞれ抽出する。そして、各グループごとに、各グループに属する複数組のディジタルデータ群によって表される複数の再生アナログ信号波形のピーク電圧値およびボトム電圧値をそれぞれ計算して、同計算した複数のピーク電圧値およびボトム電圧値の度数分布をそれぞれ計算する。なお、各再生アナログ信号波形のピーク電圧値およびボトム電圧値の計算においては、各再生アナログ信号波形に関係したディジタルデータにより表された複数の電圧値を補間演算することによりピーク電圧値およびボトム電圧値を計算する。
【００４５】
前記ステップＳ４４の処理後、ステップＳ４６にて、前記計算された度数分布において正規分布から外れたピーク電圧値およびボトム電圧値を除外する。このことを図面を用いて説明すると、図９の実線は一つのパラメータ（一つの評価対象パルス幅に関係した再生アナログ信号波形のピーク電圧値またはボトム電圧値）の度数分布の一例を示している。このステップＳ４６の処理では、標準偏差σを計算し、度数分布の最大度数の値（図９の中心に対応）から±２σの位置（図９の最小および最大に対応。正規分布であれば、全データ数の９５％が内側に含まれる位置）を計算する。そして、度数分布の最大度数の値から＋２σ間にあるヒストグラムの曲線および度数分布の最大度数の値から−２σ間にあるヒストグラムの曲線より、それぞれ３次の最小２乗法を用いて図９の点線に相当する正規分布曲線を計算する。さらに、±２σの位置から外側にある領域ではこの正規分布曲線の上側にある部分（図９の斜線部分に対応）は計算の対象から除外される。
【００４６】
なお、度数分布が図１０(Ａ)に示すように左右対称でない場合には、図１０(Ｂ)に示すように度数分布の最大度数の値から左側部分の度数分布を最大度数の値を挟んで対称位置に移動させて標準偏差σ１を計算し、同様に図１０(Ｃ)に示すように度数分布の最大度数の値から右側部分の度数分布を最大度数の値を挟んで対称位置に移動させて標準偏差σ２を計算し、度数分布の最大度数の値から−２σ１の位置（図１０(Ｂ)の最小に対応）と度数分布の最大度数の値から＋２σ２の位置（図１０(Ｃ)の最大に対応）を計算する。そして、−２σ１，＋２σ２の位置から外側にある領域に関する部分の前記と同様な除外処理を行う。
【００４７】
次に、ステップＳ４８にて、前記ステップＳ４６の処理によって残されたピーク電圧値およびボトム電圧値の度数分布を用いて再生アナログ信号を評価する。本実施形態では、次の５項目によって再生アナログ信号が評価される。第１項目は、パルス幅８Ｔに対応した再生アナログ信号の振幅を評価するために、パルス幅８Ｔに対応した再生アナログ信号のピーク値からボトム値を減算した減算値（すなわち振幅値の２倍）を、前記ピーク値で除算した値を評価値とする。第２の項目は、変調振幅を評価するために、パルス幅２Ｔに対応した再生アナログ信号のピーク値からボトム値を減算した減算値（すなわち振幅値の２倍）を、パルス幅８Ｔに対応した再生アナログ信号のピーク値からボトム値を減算した減算値（すなわち振幅値の２倍）で除算した値を評価値とする。第３の項目は、変調振幅を評価するために、パルス幅３Ｔに対応した再生アナログ信号のピーク値からボトム値を減算した減算値（すなわち振幅値の２倍）を、パルス幅８Ｔに対応した再生アナログ信号のピーク値からボトム値を減算した減算値（すなわち振幅値の２倍）で除算した値を評価値とする。第４の項目は、アシンメトリを評価するために、パルス幅８Ｔに対応した再生アナログ信号のピーク値とボトム値の平均値（中心値）からパルス幅２Ｔに対応した再生アナログ信号のピーク値とボトム値の平均値（中心値）を減算し、同減算値をパルス幅８Ｔに対応した再生アナログ信号のピーク値からボトム値を減算した減算値（すなわち振幅値の２倍）で除算した値を評価値とする。なお、これらの各ピーク値およびボトム値は、前記パルス幅２Ｔ，３Ｔ，８Ｔに対応した再生アナログ信号のピーク値およびボトム値の度数分布における平均値を利用する。
【００４８】
また、第５項目は、光ディスクＤＫの１回転の変動量を評価するために、パルス幅８Ｔに対応した再生アナログ信号のピーク値の最大電圧値から、パルス幅８Ｔに対応した再生アナログ信号のピーク値の最小電圧値を減算し、同減算結果を前記最大電圧値で除算した値を評価値とする。この場合、最大電圧値および最小電圧値は、パルス幅８Ｔに対応した再生アナログ信号のピーク値の度数分布における最大度数の値から±２σの位置における電圧値である（図９の最小および最大に対応）。また、パルス幅８Ｔに対応した再生アナログ信号のピーク値の度数分布が図１０(Ａ)に示すように左右対象でない場合には、最小電圧値に関しては、図１０(Ｂ)に示すように中心から左側部分の度数分布を中心を挟んで対称位置に移動させて最小電圧値を計算する。最大電圧値に関しては、図１０(Ｃ)に示すように中心から右側部分の度数分布を中心を挟んで対称位置に移動させて最小電圧値を計算する。
【００４９】
このようにして計算された評価結果は、表示装置２２に表示される。なお、このステップＳ４８の再生アナログ信号の評価においては、前記評価項目に限られることなく、例えば、パルス幅２Ｔ，３Ｔ，８Ｔ以外のパルス幅に対応した再生アナログ信号を評価してもよい。そして、ステップＳ４８の処理後、ステップＳ５０にてこの再生信号評価プログラムの実行を終了する。これにより、光ディスクＤＫまたは光ピックアップ１２の検査を終了する。
【００５０】
そして、新たな光ディスクＤＫまたは光ピックアップ１２を検査する場合には、上述した動作を繰り返すようにすればよい。ただし、この場合には、上述したステップＳ３０のＰＲ等化処理（ＦＩＲフィルタ処理）で利用するタップ係数の最適化を図るためのステップＳ１６〜Ｓ２８からなる循環処理を再度行ってもよいが、検査時間の短縮を図るために、同一種類の光ディスクＤＫまたは光ピックアップ１２であれば前記ステップＳ１６〜Ｓ２８からなる循環処理を省略してもよい。
【００５１】
上記作動説明からも理解できるように、上記実施形態によれば、再生されたアナログ信号は、Ａ／Ｄ変換器１５と協働したコンピュータ２０のステップＳ１２の処理により、光ディスクＤＫに記録された信号とは無関係なタイミングでＡ／Ｄ変換されるとともに外部記憶回路１７に記憶される。そして、外部記憶回路１７に記憶されたディジタルデータは、ステップＳ１４の処理により、光ディスクＤＫに記録された信号のクロックタイミングに同期したディジタルデータに変換されて内部ＲＡＭ２０ａに取り込まれる。したがって、ＰＬＬ（Phase Locked Loop）回路を用いることによってＡ／Ｄ変換したディジタル信号を前記クロックタイミングに同期させて記憶装置に取り込む場合に比べて、ＰＬＬ回路のフェーズロックするまでの時間を節約できる。また、前記同期化により、内部ＲＡＭ２０ａに記憶されたディジタルデータに基づく処理が、多くのディジタル信号を用いることなく高精度かつ高速で行われるようになる
【００５２】
また、内部ＲＡＭ２０ａに記憶されたディジタルデータは、ステップＳ３０の処理によりＰＲ等化処理（ＦＩＲフィルタ処理）されるとともに、ステップＳ３２〜Ｓ３６の処理により度数分布に関する補正がなされた後、ステップＳ３８のビタビ復号処理により２値化信号に復号される。したがって、２値化信号への復号が適切に行われる。そして、ステップＳ４２の処理により、この復号された２値化信号を用いて、外部記憶回路１７に取り込み記憶されたディジタルデータがパルス幅ごとに分類されるので、この取り込み記憶されたディジタルデータがパルス幅ごとに高精度で分類、すなわちパルス幅が最短である信号と次にパルス幅が短い信号も高精度で分類される。そして、ステップＳ４６，Ｓ４８の処理により、高精度で分類されたディジタルデータに基づいて再生したアナログ信号が評価されるので、光ディスクＤＫに記録された最短のパルス幅のディジタル信号をアナログ再生したアナログ信号も精度よく評価されるようになり、光ディスクＤＫのディジタル信号の記録密度が向上しても、再生アナログ信号の評価が高精度に行われるようになる。
【００５３】
また、この再生アナログ信号の最終評価前には、ステップＳ４６の処理により、評価用パラメータ値の分布を計算して、同計算した評価用パラメータ値の分布において正規分布より外れている異常な評価用パラメータ値が除外されて、再生したアナログ信号が評価されるので、同評価がより高精度で行われるようになる。さらに、前記ステップＳ３０のＦＩＲフィルタ処理（ＰＲ等化処理）によって利用されるタップ係数は、ステップＳ１６〜Ｓ２８の循環処理よって最適値に設定されるので、ステップＳ３０のＰＲ等化処理がより適切に行われる。
【００５４】
さらに、本発明の実施にあたっては、上記実施形態及びその変形例に限定されるものではなく、本発明の目的を逸脱しない限りにおいて種々の変更が可能である。
【００５５】
例えば、上記実施形態において、上記図２のステップＳ４４，Ｓ４６の処理では、パラメータ値としてのピーク及びボトム値の度数分布を計算して除外するディジタルデータを決めるようにした。しかし、これに代えて、ステップＳ４８の処理により計算されるピーク値からボトム値を減算した値（すなわち、振幅値の２倍）をパラメータ値として、同パラメータ値の度数分布を計算して除外するディジタルデータを決めるようにしてもよい。
【００５６】
また、上記実施形態においては、ＰＲ等化処理（ＦＩＲフィルタ処理）およびビタビ復号処理をプログラムによるソフト処理で行うようにした。しかし、これに代えて、これらの処理を、専用のハード回路で行うようにしてもよい。
【００５７】
また、上記実施形態においては、光ディスクＤＫに記録されていたディジタル信号のアナログ再生信号を評価するようにした。しかし、本発明は、磁気ディスク、磁気テープなどの他の種類の記録媒体に記録されているディジタル信号をアナログ再生した信号を評価する再生信号評価装置および再生信号評価方法にも適用できる。
【図面の簡単な説明】
【００５８】
【図１】本発明の一実施形態に係る再生信号評価装置の概略ブロック図である。
【図２】図１のコンピュータによって実行される再生信号評価プログラムを示すフローチャートである。
【図３】図２のステップＳ１２にて実行される取り込み処理ルーチンを示すフローチャートである。
【図４】(Ａ)は光ディスクに記録されている信号の波形図であり、(Ｂ)は再生アナログ信号の波形図である。
【図５】(Ａ)は光ディスクに記録されている信号の基準クロックに同期したタイミングで図１の内部ＲＡＭに電圧値を取り込む動作を説明するための再生アナログ信号の波形図であり、(Ｂ)は前記内部ＲＡＭに取り込んだ電圧値と外部記憶回路に記憶されている電圧値との関係を説明するための再生アナログ信号の拡大波形図である。
【図６】ＦＩＲフィルタ処理を説明するための機能ブロック図である。
【図７】リサンプリングした再生ディジタルデータをＰＲ特性に補正したディジタルデータの度数分布図である。
【図８】(Ａ)は復号信号の一例を示す波形図であり、(Ｂ)は同復号信号にＰＲ等化処理を施したディジタルデータ値の変化を示す図であり、(Ｃ)はリサンプリングした再生ディジタルデータにＰＲ等化処理および度数分布補正処理を施したディジタルデータ値と前記(Ｂ)のディジタルデータ値とを対比させた図である。
【図９】評価対象パルス幅に対応した再生アナログ信号波形のピーク電圧値およびボトム電圧値の度数分布図である。
【図１０】(Ａ)〜(Ｃ)は、再生アナログ信号のピーク値の度数分布が左右対象でない場合におけるピーク値の最小電圧値および最大電圧値を計算する方法を説明するための度数分布図である。
【符号の説明】
【００５９】
ＤＫ…光ディスク、１２…光ピックアップ、１４…再生信号生成回路、１５…Ａ／Ｄ変換器、１６…クロック信号発生回路、１７…外部記憶回路、２０…コンピュータ、２０ａ…内部ＲＡＭ、２１…入力装置、２２…表示装置
【図１】
2006018866.tif 000003
【図２】
2006018866.tif 000004
【図３】
2006018866.tif 000005
【図４】
2006018866.tif 000006
【図５】
2006018866.tif 000007
【図６】
2006018866.tif 000008
【図７】
2006018866.tif 000009
【図８】
2006018866.tif 000010
【図９】
2006018866.tif 000011
【図１０】
2006018866.tif 000012